(57)【要約】上辺端３、下辺端５、左側端７および右側端９を有し、前記上辺端３と前記左、右側端７，９の中で一つとの間の角が除去された角除去端が形成されている薄膜飲料容器用注出帯アセンブリ１ａにおいて、前記注出帯アセンブリ１ａは前記角除去端に固定される固定部１００と、前記固定部１００から容器の外側に延長するスパウト部１０１と、前記スパウト部１０１と結合される栓２００と、前記固定部容器の内側下方に延長してその先端部が前記容器の下辺端５と見合わせるようになっている流出案内部材１３とからなる薄膜飲料容器用注出帯アセンブリに関する。
2004501036.tif 000002
【特許請求の範囲】
【請求項１】
上辺端、下辺端、左側端および右側端を有し、前記上辺端と前記左、右側端の中で一つとの間の角が除去された角除去端が形成されている薄膜飲料容器用注出帯アセンブリにおいて、
前記注出帯アセンブリは、前記角除去端に固定される固定部と、前記固定部から容器の外側に延長するスパウト部と、前記スパウト部と結合される栓と、前記固定部の容器の内側下方に延長してその先端部が前記容器の下辺端と見合わせるようになっている流出案内部材とからなる薄膜飲料容器用注出帯アセンブリ。
【請求項２】
前記角除去端は前記容器の下辺端と一定角度を有する傾斜端になり、前記固定部は前記傾斜端に平行に固定され、前記流出案内部材は前記傾斜端から延長し、その軸線が前記左、右側端と交差する第１案内部と、前記第１案内部と一定角を有して曲がっており、その軸線が前記容器の下辺端と交差する第２案内部を有することを特徴とする請求項１記載の薄膜飲料容器用注出帯アセンブリ。
【請求項３】
前記流出案内部材の断面は“＋”形になることを特徴とする請求項１記載の薄膜飲料容器用注出帯アセンブリ。
【請求項４】
前記流出案内部材はストロータイプになることを特徴とする請求項１記載の薄膜飲料容器用注出帯アセンブリ。
【請求項５】
前記流出案内部材は一側面が開放されたストロータイプになることを特徴とする請求項１記載の薄膜飲料容器用注出帯アセンブリ。
【請求項６】
前記容器は前記スパウト部と栓が汚染されることを防止するために、これらを囲んで前記角除去端にカッティングラインを介して連結されるカバー部材をさらに含むことを特徴とする請求項１記載の薄膜飲料容器用注出帯アセンブリ。
【請求項７】
前記ストロータイプの流出案内部材には曲げ部が形成されることを特徴とする請求項４記載の薄膜飲料容器用注出帯アセンブリ。
【請求項８】
前記スパウト部の外周には螺子山が形成され、前記栓の内周には前記スパウト部の螺子山と結合する螺子山が形成されていることを特徴とする請求項１記載の薄膜飲料容器用注出帯アセンブリ。
【請求項９】
前記スパウト部と前記栓は物理的強度が弱い結合部で一体に結合されてワンタッチ方式により互いに分離されるようになっていることを特徴とする請求項１記載の薄膜飲料容器用注出帯アセンブリ。
【請求項１０】
前記栓の底面にはスパウト部の内側に挿入される突出部が形成され、スパウト部の再密封ができるようになっていることを特徴とする請求項９記載の薄膜飲料容器用注出帯アセンブリ。
【請求項１１】
前記スパウト部は楕円形の断面を有して形成され、前記栓は直四角形の断面を有して形成されて注出帯アセンブリの全体的な厚さを減らすようになっていることを特徴とする請求項９記載の薄膜飲料容器用注出帯アセンブリ。
【請求項１２】
前記角除去端は水平除去端と垂直除去端を含み、前記固定部は前記水平除去端に固定され、前記流出案内部材は前記固定部からその先端が前記下辺端と見合わせるように延長することを特徴とする請求項１記載の薄膜飲料容器用注出帯アセンブリ。
【請求項１３】
前記栓には栓を前記スパウト部から容易に除去できるようにハンドル羽が備えていることを特徴とする請求項９記載の薄膜飲料容器用注出帯アセンブリ。
【請求項１４】
注出帯アセンブリを有する薄膜飲料容器において、
前記容器は上辺端、下辺端、左側端および右側端を有し、前記上辺端と前記左、右側端の中で一つとの間の角が除去された角除去端が形成されており、
前記注出帯アセンブリは前記角除去端に固定される固定部と、前記固定部から容器の外側に延長するスパウト部と、前記スパウトと結合される栓と、前記固定部容器の内側下方に延長してその先端部が前記容器の下辺端と見合わせるようになっている流出案内部材とからなる薄膜飲料容器。
【請求項１５】
前記角除去端は前記容器下辺端と一定角度を有する傾斜端になり、前記固定部は前記傾斜端に平行に固定され、前記流出案内部材は前記傾斜端から延長し、その軸線が前記左、右側端と交差する第１案内部と、前記第１案内部と一定角を有して曲がっており、その軸線が前記容器の下辺端と交差する第２案内部を有することを特徴とする請求項１４記載の薄膜飲料容器。
【請求項１６】
前記流出案内部材の断面は“＋”形になることを特徴とする請求項１４記載の薄膜飲料容器。
【請求項１７】
前記流出案内部材はストロータイプになることを特徴とする請求項１４記載の薄膜飲料容器。
【請求項１８】
前記容器は前記スパウト部と栓が汚染されることを防止するためにこれらを囲んで前記角除去端にカッティングラインを介して連結されるカバー部材をさらに含むことを特徴とする請求項１４記載の薄膜飲料容器。
【請求項１９】
前記角除去端は水平除去端と垂直除去端を含み、前記固定部は前記水平除去端に固定され、前記流出案内部材は前記固定部からその先端が前記下辺端と見合わせるように延長することを特徴とする請求項１４記載の薄膜飲料容器。
【発明の詳細な説明】
【０００１】
【発明の属する技術分野】
本発明は薄膜飲料容器用注出帯アセンブリに関し、より詳しくは内容物が容易に吸われるように考案された薄膜飲料容器用注出帯構造に関する。
【０００２】
【従来の技術】
一般的にパウチのような薄膜材質で作られる容器は別途の注出帯を備えなく、一つの角を裁取して開放部を形成した後、この開放部を通じて内容物を飲用するようになっている。
【０００３】
しかし、このような注出帯がない薄膜飲料容器の場合、その裁取された開放部が外力により易しく支えて内容物の飲用が難しいのみならず、また容器の内に内容物の流出案内部また流出部がないので、薄膜が圧着されて内容物を吸引することが難しい。
【０００４】
従って、内容物の飲用を易しくするために別途の注出帯が前記薄膜材質で作られる容器に提供されるものが開発されている。このような注出帯を薄膜容器に提供する時、薄膜容器の上端に注出帯を設置する場合、全体的な容器の長さ及び大きさが増えるだけでなく、内容物の注入口の確保が難しくて容器の一つの角部に注出帯を提供するのが一般的である。
【０００５】
図１２は一つの角部に注出帯が提供された薄膜容器を図示している参考図である。
【０００６】
図示したように容器Ｃは上端、下端、左側及び右側部を有して形成されている。また、前記容器Ｃは上端一側の角が除去されて傾斜断部１１が提供されている。容器Ｃの前記傾斜部１１の接合面には注出帯１が固定される。
【０００７】
前記注出帯１は前記接合面に固定される固定部１００と接着部から容器の内に前記接着部に対して垂直に延長する内容物流出案内部材１３と前記接着部から容器の外側に前記接着部に対して垂直に延長し、栓２００が結合されるスパウト（ｓｐｏｕｔ）部（図示省略）とからなる。即ち、前記スパウト部と流出案内部材１３は容器一側の角の傾斜部の接合面に固定される固定部１００に対して垂直に長さ方向の軸線Ｘに沿って形成される。
【０００８】
従って、前記流出案内部材１３の下端は前記軸線Ｘに沿って容器の一側断部（図面で右側面部）を向く。この場合、前記軸線Ｘの延長線と交差する一側断部の交差点を過ぎる水平ラインＬ上の内容物は前記流出案内部材１３により前記軸線Ｘに沿って形成される案内ホールに沿って容易に排出される。しかし、前記案内ホールは使用者が内容物を吸引する時、容器の圧着により前記軸線Ｘと前記容器の一側断部の交差点で閉鎖されるので、前記水平ラインＬ下の内容物は容易に流出されない短所が発生する。
【０００９】
【発明が解決しようとする課題】
本発明はこのような問題点を解決するために発明されるものである。本発明の目的は薄膜飲料容器の容器内の内容物を容易で完全に吸引できる薄膜飲料容器用注出帯アセンブリ及びそのような注出帯アセンブリを有する容器を提供するものである。
【００１０】
また、本発明の他の目的は注出帯アセンブリを容易に開放できる栓とスパウト部の構造を提供するものである。
【００１１】
また、本発明の他の目的はスパウト部の汚染を防止できる注出帯アセンブリを提供するものである。
【００１２】
【課題を解決するための手段】
このような目的を達成するために、本発明は、上辺端、下辺端、左側端および右側端を有し、前記上辺端と前記左、右側端の中で一つとの間の角が除去された角除去端が形成されている薄膜飲料容器用注出帯アセンブリにおいて、前記注出帯アセンブリは前記角除去端に固定される固定部と、前記固定部から容器の外側に延長するスパウト部と、前記スパウト部と結合される蓋と、前記固定部容器の内側下方に延長してその先端部が前記容器の下辺端と見合わせるようになっている流出案内部材とからなる。
【００１３】
前記角除去端は前記容器下辺端と一定角を有する傾斜端になり、前記固定部は前記傾斜端に平行に固定され、前記流出案内部材は前記傾斜端から延長し、その軸線が前記左、右側端と交差する第１案内部と、前記第１案内部と一定角を有して曲がっており、その軸線が前記容器の下辺端と交差する第２案内部を有する。
【００１４】
前記流出案内部材の断面は“＋”形、またストロータイプになっている。
【００１５】
前記容器は前記スパウト部と栓が汚染されることを防止するためにこれらを囲んで前記角除去端にカッティングラインを介して連結されてカバー部材をさらに含む。
【００１６】
前記ストロータイプの流出案内部材には曲げ部が形成されている。
【００１７】
前記スパウト部の外周には螺子山が形成され、前記栓の内周には前記スパウト部の螺子山と結合する螺子山が形成されている。
【００１８】
前記スパウト部と前記栓は物理的強度が弱い結合部で一体に結合されてワンタッチ方式により互いに分離されるようになっている。
【００１９】
前記栓の底面にはスパウト部の内側に挿入される突出部が形成され、スパウト部の再密封ができるようになっている。
【００２０】
前記スパウト部は楕円形の断面を有して形成され、前記栓は直四角形の断面を有して形成され、注出帯アセンブリの全体的な厚さを減らすようになっている。
【００２１】
前記角除去端は水平除去端と垂直除去端を含み、前記固定部は前記水平除去端に固定され、前記流出案内部材は前記固定部からその先端が前記下辺端と見合わせるように延長する。
【００２２】
前記栓には栓を前記スパウト部から容易に除去できるようにハンドル羽が備えている。
【００２３】
【発明の実施の形態】
以上、本発明の望ましい実施例を添付図面に基づいて上述すると次の通りである。以下、実施例で説明の便宜をために同一な部材には同一符号を付与した。
【００２４】
図１乃至図４は本発明の第１実施例に従う薄膜飲料容器用注出帯アセンブリ及びこの注出帯が適用された薄膜飲料容器を図示している図面である。
【００２５】
先ず、図１に図示したように、薄膜飲料容器Ｃは上辺端３、下辺端５、左辺端７、そして右辺端９を有して形成され、前記上辺端３と左辺端７の間の一側の角部が除去されて形成された傾斜辺端１１が形成されている。
【００２６】
本発明の第１実施例に従う注出帯アセンブリ１ａは、前記容器Ｃの傾斜辺端１１に形成されて固定されるもので、図２で図示したように、前記傾斜辺端１１の接着部に固定される固定部１００と、前記固定部１００を中心に容器の外側に延長形成されて螺子山１０２が形成されているスパウト部１０１、前記固定部１００から容器内側に配置される排出案内部材１０３とからなる。前記固定部１００と前記スパウト部１０１には容器の垂直軸線Ｙと一定角になる軸線Ｘに沿って前記流出案内部材１０３と連結される流出孔１０５が形成される。
【００２７】
前記案内部材１０３は前記軸線Ｘまたはこの軸線と平行な軸線に沿って前記固定部１００から延長する第１案内部１０３ａと前記第１案内部１０３ａからその先端部が前記容器の下端辺部５に向けるように前記軸線Ｘに対して一定角を置いて下端辺部５に向けて延長する第２案内部１０３ａとからなる。
【００２８】
前記流出案内部材１０３の断面は一つの実施例として、図３の通り“＋”形状ですることができる。
【００２９】
このような状態で、スパウト部１０１に形成された螺子山と結合された栓２００を開くと、カッティングライン２０１が裁取されながらスカート２０２が栓２００から分離される。
【００３０】
このような状態でスパウト部１０１に口を当てて吸うと、容器が圧着されながら前記第２案内部１０３ａ及び容器により図３のような第１流出案内ホール１０４ａが形成され、前記第２案内部１０３ａの下方には図４のような前記第１流出案内ホール１０４ａと連通する第２流出案内ホール１０４ｂが形成され、容器Ｃ内の流体の終わりの玉まで前記第１及び第２流出案内ホール１０４ａ，１０４ｂと、前記流出孔１０５を通じて排出される。
【００３１】
図５は本発明の第２実施例に従う注出帯アセンブリを図示している正面図である。この第２実施例に従う注出帯アセンブリ１ｂは実質的に第１実施例と同一であるが、唯、流出案内部材１０３エがストロー形状になっており、この案内部材の一定部位に皺と折綴部１０８が形成されて第１実施例のような第１及び第２案内部１０３ａ’、１０３ｂ’を形成し、前記固定部１００の下方に前記流出案内部材１０３’を固定する案内部材固定部１０６が形成されている。
【００３２】
図６乃至図８は本発明の第３実施例に従う注出帯アセンブリを図示している図面である。この実施例の注出帯アセンブリ１ｃは流出案内部材３０３の第１及び第２案内部３０３ａ、３０３ｂを有しており、唯、その断面が四角になる。
【００３３】
また、前記角除去部には汚染防止用カバー３１０が切断線にスパウト部３０１と栓３００をカバーするように提供され、スパウト部３０１が汚染されることを防止することができる。
【００３４】
そして、前記スパウト部３０１と栓３００はワンタッチ方式に結合されている。即ち、図７で図示した通り、栓３００はスパウト部３０１の先端に物理的に弱い結合部により一体に結合され、使用者が弱い力で捻って栓３００をスパウト部３０１から除去することができる。また、前記栓３００の底面には突出部３０５を形成し、前記スパウト部３０１の再密封ができるようにした。
【００３５】
一方、図８で図示した通り、この実施例では全体的な注出帯アセンブリ１ｃの厚さを減らすために前記スパウト部３００の断面を楕円形に形成し、これと結合される栓３００の断面は直四角に形成して全体的な厚さを減らすことにより包装時に空間効率を改善することができる。
【００３６】
図９は本発明の第４実施例に従う注出帯アセンブリが提供された薄膜飲料容器を図示している。この実施例では、スパウト部４０１と栓４００の構造は第３実施例と同一であるが、前記スパウト部４０１が角除去部の傾斜辺端に結合された固定部１００から容器の両側辺と平行に上方延長形成されており、流出案内部材４００も前記固定部１００から容器の両側辺と平行に下方延長され、容器の下辺端とその先端が見合えるようになっている。このように流出案内部材４００が容器の下辺端とその先端が見合えるようになって容器の底面にある内容物の流出も容易になる。
【００３７】
図１０は本発明の第５実施例に従う注出帯アセンブリが提供された薄膜飲料容器を図示している正面図であり、この実施例の注出帯１ｅは、実質的に前記角除去部が水平段１１ａと垂直段１１ｂになっており、前記固定部１００が前記水平段１１ａに固定形成されているものを除外すると全部同一である。
【００３８】
図１１は本発明の第６実施例に従う注出帯アセンブリを図示している斜視図である。この実施例の注出帯１ｆは、固定部２を中心にして上方にはスパウト部６０１を置いて、下方には第１案内部５００ａ及びこの第１案内部５００ａと一定角度で傾いてその先端が容器の底面と見合えるように延長する第２案内部５００ｂになっている一側方が開放されたストロータイプの流出案内部材５００が形成されている。前記スパウト部６０１の上段には羽６０５がある栓６０４を形成し、前記栓６０４は段がある形態で第１及び第２密着部６０２、６０７を置いて、前記第１密着部６０２はスパウト部３の内側流出孔（図示省略）に挿入されて流出孔の先端と裁取線に結合されている。
【００３９】
【発明の効果】
本発明は以上の説明の通り、容器の角除去部に注出帯を形成してもその注出帯が形成された容器の内容物を容易に排出することができるし、また、ワンタッチ方式で開閉ができると共に注出帯のスパウト部が開放時まで汚染されることを防止することができる長所を有する。
【００４０】
【図面の簡単な説明】
【図１】
本発明の第１実施例に従う注出帯アセンブリが提供された薄膜飲料容器を図示している正面図である。
【図２】
栓が除去された状態の本発明の第１実施例に従う注出帯アセンブリを図示している正面図である。
【図３】
図１のＩＩＩ−ＩＩＩ線断面図である。
【図４】
図１のＩＶ−ＩＶ線断面図である。
【図５】
本発明の第２実施例に従う注出帯アセンブリを図示している正面図である。
【図６】
本発明の第３実施例に従う注出帯アセンブリが提供された薄膜飲料容器を図示している正面図である。
【図７】
本発明の第３実施例に従う注出帯アセンブリを図示している断面図である。
【図８】
本発明の第３実施例に従う注出帯アセンブリの平面図である。
【図９】
本発明の第４実施例に従う注出帯アセンブリが提供された薄膜飲料容器を図示している正面図である。
【図１０】
本発明の第５実施例に従う注出帯アセンブリが提供された薄膜飲料容器を図示している正面図である。
【図１１】
本発明の第６実施例に従う注出帯アセンブリを図示している斜視図である。
【図１２】
本発明を説明するための参考図である。
【符号の説明】
１ａ：注出帯アセンブリ
３：上辺端
５：下辺端
７：左辺端
９：右辺端
１３：流出案内部材
１００：固定部
１０１：スパウト部
２００：栓
【国際公開パンフレット】
2004501036.tif 000003
2004501036.tif 000004
2004501036.tif 000005
2004501036.tif 000006
2004501036.tif 000007
2004501036.tif 000008
2004501036.tif 000009
2004501036.tif 000010
2004501036.tif 000011
2004501036.tif 000012
2004501036.tif 000013
2004501036.tif 000014
2004501036.tif 000015
2004501036.tif 000016
2004501036.tif 000017
2004501036.tif 000018
2004501036.tif 000019
2004501036.tif 000020
2004501036.tif 000021
2004501036.tif 000022
2004501036.tif 000023
2004501036.tif 000024
2004501036.tif 000025
2004501036.tif 000026
2004501036.tif 000027
【国際調査報告】
2004501036.tif 000028